(57)【要約】      （修正有）【課題】分離作業における作業者の危険が少なく、かつ負担の軽減を図ると共に、作業効率の向上を図ることのできるステータユニットからのポンプ押出装置を提供する。【解決手段】分離対象とするステータユニットを保持するストッパ１２と、ステータユニットを構成するポンプの軸を押圧する押出ロッド２６を備えたジャッキ２０と、ストッパ１２、およびジャッキ２０の双方を水平位置に固定するテーブル３０を有することを特徴とする。また、ストッパ１２には、ステータユニットを載置する際のガイドとなる傾斜面を備えた爪が設けられている。【選択図】図１
0003205091.tif 000002
【実用新案登録請求の範囲】
【請求項１】
分離対象とするステータユニットを保持するストッパと、
前記ステータユニットを構成するポンプの軸を押圧する押出ロッドを備えたジャッキと、
前記ストッパ、および前記ジャッキの双方を水平位置に固定するテーブルを有することを特徴とするステータユニットからのポンプ押出装置。
【請求項２】
前記ストッパには、前記ステータユニットを載置する際のガイドとなる傾斜面を備えた爪が設けられていることを特徴とする請求項１に記載のステータユニットからのポンプ押出装置。
【請求項３】
前記押出ロッドには、押し出しの際の傾倒を防ぐガイドが備えられ、
前記テーブルには、前記ガイドが摺動するガイドレールが備えられていることを特徴とする請求項１または２に記載のステータユニットからのポンプ押出装置。
【請求項４】
前記テーブルには、当該テーブルを支持する脚部と、
前記ジャッキを介して押し出された前記ポンプを落下させる開口部と、
前記開口部から前記テーブルの下方へ延設されているシューターを備えたことを特徴とする請求項１乃至４のいずれか１項に記載のステータユニットからのポンプ押出装置。
【考案の詳細な説明】
【技術分野】
【０００１】
本発明は、押出装置に係り、特に冷蔵庫用コンプレッサにおけるステータユニットからポンプを押し出す装置に関する。
【背景技術】
【０００２】
冷蔵庫用コンプレッサには多くの銅が使用されており、そのリサイクル技術が求められている。その銅を取り出すためにはコンプレッサの内部部品であるステータユニットからポンプを分離する必要があるが、ステータユニットはステータにポンプを銅線で固縛するように構成されている。このため手作業での分離は容易ではなく、グラインダなどを使用し、固縛部を切断することで分離していた。しかし、このような作業では、グラインダを使用した際に火気を伴うため、危険であり、時間もかかり、作業者の負担が大きいという問題があった。
【０００３】
このような実状に鑑み、特許文献１に開示されているように、分離作業を機械による押出しで行うことが提案されている。
【先行技術文献】
【特許文献】
【０００４】
【特許文献１】特開２０１２−１１５８１５号公報
【考案の概要】
【考案が解決しようとする課題】
【０００５】
特許文献１に開示されているような方法を用いることによれば、火気を伴う手作業が無くなり、作業者の負担が軽減されると共に、作業効率の向上を図ることができると考えられる。
【０００６】
しかしながら、上記特許文献１には、このような方法を実現するための装置の具体的構成の詳細は記されていない。このため、どのような装置を用いる事がより、作業効率の向上を図ることができ、かつ作業者の負担を減らすことができるかが不明であるという問題があった。
【０００７】
そこで本考案では、分離作業における作業者の危険が少なく、かつ負担の軽減を図ると共に、作業効率の向上を図ることのできるステータユニットからのポンプ押出装置を提供することを目的とする。
【課題を解決するための手段】
【０００８】
上記目的を達成するための本考案に係るステータユニットからのポンプ押出装置は、分離対象とするステータユニットを保持するストッパと、前記ステータユニットを構成するポンプの軸を押圧する押出ロッドを備えたジャッキと、前記ストッパ、および前記ジャッキの双方を水平位置に固定するテーブルを有することを特徴とする。
【０００９】
また、上記のような特徴を有するステータユニットからのポンプ押出装置において、前記ストッパには、前記ステータユニットを載置する際のガイドとなる傾斜面を備えた爪が設けられているようにすると良い。このような特徴を有することによれば、ストッパに対するステータユニットの設置を容易化することができ、作業者の負担軽減に寄与することができる。
【００１０】
また、上記のような特徴を有するステータユニットからのポンプ押出装置において、前記押出ロッドには、押し出しの際の傾倒を防ぐガイドが備えられ、前記テーブルには、前記ガイドが摺動するガイドレールが備えられているようにすると良い。このような特徴を有することによれば、押出ロッドが重量物である場合でも、ジャッキから伸長するロッドが変形したり、傾倒したりすることを防ぐことができる。これにより、ステータユニットの所定位置に押出ロッドを当接させることができる。
【００１１】
さらに、上記のような特徴を有するステータユニットからのポンプ押出装置において、前記テーブルには、当該テーブルを支持する脚部と、前記ジャッキを介して押し出された前記ポンプを落下させる開口部と、前記開口部から前記テーブルの下方へ延設されているシューターを備えるようにすると良い。このような特徴を有することによれば、ステータユニットから押し出されたポンプは、開口部を介してシューターへと落下し、所定の分離箱等へ流し出すことができる。これにより、押出装置から作業者がポンプとステータの双方を取り出すという作業負担を軽減することができる。
【考案の効果】
【００１２】
上記のような特徴を有するステータユニットからのポンプ押出装置によれば、分離作業における作業者の危険を低減することができる。また、作業者の負担を軽減することができる。さらに、作業効率の向上を図ることも可能となる。
【図面の簡単な説明】
【００１３】
【図１】実施形態に係る押出装置の構成を示す正面図である。
【図２】実施形態に係る押出装置の構成を示す平面図である。
【図３】押出装置を構成するストッパの構成を説明するための図である。
【図４】押出装置に防護カバーを取り付けた様子を示す側面図である。
【図５】押出装置に防護カバーを取り付けた様子を示す正面図である。
【図６】実施形態において分離対象とするステータユニットの構成を示す図である。
【図７】ステータユニットをステータとポンプに分離した状態を示す図である。
【図８】分離作業において押出装置にステータユニットをセットする前の状態を示す図である。
【図９】分離作業において押出装置のストッパにステータユニットをセットした状態を示す図である。
【図１０】分離作業においてストッパにセットされたステータユニットに押出ロッドが押し当てられた状態を示す図である。
【図１１】分離作業においてストッパにセットされたステータユニットから押出ロッドによりポンプが押し出された状態を示す図である。
【考案を実施するための形態】
【００１４】
以下、本考案のステータユニットからのポンプ押出装置に係る実施の形態について、図面を参照しつつ詳細に説明する。
［分離対象とするステータユニット］
まず、本実施形態において分離対象とする部材は、図７に示すようなステータ５２と、このステータ５２に銅線により固縛されているポンプ５８である。ステータ５２は、フランジ部５４ａを含む本体５４と、ポンプ５８を固縛する銅線５６とを有し、ポンプ５８は、銅線５６に固縛された状態で、ステータ５２の内部に配置されている。本実施形態では図６に示すように、ステータ５２にポンプ５８が固縛されているものをステータユニット５０と称する。ステータユニット５０の先端には、ポンプ５８の軸６０が突出している。
【００１５】
［押出装置の基本構成］
このような形態のステータユニットからポンプを分離するステータからのポンプ押出装置（以下、単に押出装置１０と称す）は、図１、図２に示すように、ストッパ１２と、ジャッキ２０、およびテーブル３０を基本として構成されている。なお、図１は、実施形態に係る押出装置１０の正面構成を示す図であり、図２は、同押出装置１０の平面構成を示す図である。
【００１６】
［ストッパの構成］
ストッパ１２は、分離対象とするステータユニット５０を保持するための役割を担う要素であり、詳細を図３に示すように、ストッパサポート１４と、ストッパプレート１６、および高さ調整用ライナ１８を備える。ストッパサポート１４は、詳細を後述するテーブル３０に固定されるホルダであり、ストッパプレート１６を保持する役割を担う。ストッパプレート１６は、分離対象とするステータユニット５０におけるステータ５２のフランジ部５４ａに当接し、詳細を後述するジャッキ２０による押し出し力を受け止める役割を担う。また、高さ調整用ライナ１８は、ストッパ１２に保持されるステータユニット５０の高さ方向の中心位置、すなわちポンプ５８における軸６０の中心（軸心）位置が、ジャッキ２０における押出ロッド２６の中心位置となるように高さ調整を行うための役割を担う冶具である。
【００１７】
ストッパサポート１４とストッパプレート１６との関係は、次のようなものである。ストッパプレート１６は、図２に示すように、ジャッキ２０による押し出し方向と直交する方向に、ジャッキ２０の軸線を基点として線対称に配置される。そして、ストッパサポート１４は、このストッパプレート１６のそれぞれを、ジャッキ２０による押し出し方向に沿って挟み込むように配置されている。ストッパサポート１４にはガイド１４ａが設けられており、ストッパプレート１６がジャッキ２０の押し出し方向と交差する方向へスライドすることを可能に支持する構成とされている。また、ストッパサポート１４には、ストッパプレート１６を挟持する２つのストッパサポート１４間を跨ぐベースプレート１４ｂが備えられ、当該ベースプレート１４ｂとストッパプレート１６との間には、コイルばね１４ｃが配置されている。コイルばね１４ｃは、対を成すストッパプレート１６を近接させる方向へ押し出す付勢力が付与された状態で固定されている。
【００１８】
分離対象とするステータユニット５０は、対を成すストッパプレート１６の間に形成される隙間に挿入される。このため、対を成すストッパプレート１６には、ステータユニット５０が挿入される側面に、挿入側ほど隙間が広くなる傾斜面１６ｂを有する爪１６ａが設けられている。そして、高さ調整用ライナ１８は、対を成すストッパプレート１６の間であって、ジャッキ２０配置側に設置されることとなる。
【００１９】
このような構成のストッパ１２によれば、ステータユニット５０をセットする際、ストッパプレート１６における爪１６ａに設けられた傾斜面１６ｂに沿って、ステータユニット５０を隙間に誘導することができる。また、対を成すストッパプレート１６は、互いに離間する方向へ摺動可能であるため、ステータユニット５０の形状に沿って隙間を広げ、ステータユニット５０が高さ調整用ライナ１８に載置される状態までセットされた際には、コイルばね１４ｃの付勢力により、ステータユニット５０を中心位置に押し付けることが可能となる。なおステータユニット５０は、ステータ５２の本体５４を構成するフランジ部５４ａがストッパプレート１６における爪１６ａのジャッキ２０配置側面に当接するようにセットされる。なお、高さ調整用ライナ１８上には、フランジ部５４ａの側面が当接することとなる。
【００２０】
［ジャッキの構成］
ジャッキ２０は、ストッパ１２に保持されたステータユニット５０からポンプ５８を押し出す役割を担う。本実施形態では、電動型のジャッキ２０を採用しているため、ジャッキ本体２２とモータ２４、及び押出ロッド２６を有する。ジャッキ本体２２は、モータ２４からの動力を伝達、増幅するギアユニット（不図示）と、このギアユニットを介して押し出されるロッド２２ａ（例えば図８から図１１参照）、及びギアユニットとロッド２２ａを収容し、シリンダ（不図示）の役割を兼ねるケーシング２２ｂを有する。モータ２４は、ジャッキ２０の動力源としての役割を担う。図２に示す形態では、ジャッキ２０におけるロッド２２ａの押し出し方向と交差する方向に配置されているが、その配置形態については限定されるものでは無い。
【００２１】
押出ロッド２６は、ジャッキ本体２２のロッド２２ａに接続されるロッドであり、本実施形態では、ポンプ５８の押し出しに適した大径のロッドを採用している。押出ロッド２６の先端には開口部２６ａが設けられている。開口部２６ａは、分離対象とするステータユニット５０におけるポンプ５８の軸が遊嵌可能な直径とされている。そして、開口部２６ａの先端側には、漏斗状のテーパが施されている。このような構成とすることで、ジャッキ２０によりステータユニット５０に押圧力を付与した際、ポンプ５８の軸のみが押し出されるという事態を避けることができる。また、開口部２６ａの先端側に漏斗状のテーパを施した事により、押し出されたポンプ５８が自重により落下する際、開口部２６ａに遊嵌された軸が自然に抜けることとなる。
【００２２】
また、押出ロッド２６には、ガイド２８が備えられている。ガイド２８は、テーブル３０に備えられたガイドレール２８ａに沿って摺動可能な構成とされている。ガイド２８は、重量物である押出ロッド２６を支持することで、ジャッキ２０のロッド２２ａが伸長した際、ロッド２２ａが撓みなどにより傾倒し、ステータユニット５０に対する押出ロッド２６の当接位置がずれることを防ぐことができる。
【００２３】
［テーブルの構成］
テーブル３０は、上述した高さ調整用ライナ１８を含むストッパ１２と、ジャッキ２０を定位置に固定する役割を担う。テーブル３０には、脚部３２が備えられ、ストッパ１２やジャッキ２０の高さが、作業者がステータユニット５０を載置する際に、その負担が軽減される高さとなるように調整されている。また、テーブル３０には、ストッパ１２の近傍で、ストッパプレート１６を介してジャッキ２０配置側と反対側には、開口部３４が設けられている。開口部３４は、ステータユニット５０から押し出されたポンプ５８を自然落下させるための要素である。開口部３４を設けることで、ポンプ５８を押出後、作業者は、ストッパ１２に保持されたステータ５２のみを取り出すだけで良い。また、開口部３４の下方には、シューター３６が備えられ、開口部３４から落下したポンプ５８を所定の分別箱（不図示）に流し入れる事ができる。
【００２４】
［防護カバーについて］
また、上記のような構成の押出装置１０には、図４、図５に示すように、装置全体を覆う防護カバー３８を備えることができる。防護カバー３８を備えることにより、ジャッキ２０によるポンプ５８の押し出し工程中に、引き千切られた銅線などが飛散する事を防止することができる他、作業者が誤って押圧部に手などを挟み込む事を防ぐことができる。
【００２５】
防護カバー３８は、フレーム４０と、壁面を構成するカバー４２から成り、カバー４２の一部には、ステータ５２を出し入れするためのゲート４４が備えられている。フレーム４０やカバー４２の形態や材質は、特に限定するものでは無いが、フレーム４０は、シンプルな構成とすると良く、カバー４２は、加工が容易なポリカーボネート等で構成すると良い。
【００２６】
ゲート４４は、スライド式とすれば良く、上下方向へのスライドとすると良い。スライド方向を上下方向とすることで、塵埃の詰まりによる開閉不良を防ぐ事ができるからである。
【００２７】
［ステータユニットの分離作業］
次に、上記のような構成の押出装置１０によるステータユニット５０からのポンプ５８の分離作業の様子を説明する。まず、防護カバー３８のゲート４４を開放し、作業者がステータユニット５０をストッパ１２の所定位置にセットする。ステータユニット５０をセットし、作業領域から作業者の手が退避した後、防護カバー３８のゲート４４が閉塞する。図８は、ステータユニット５０をセットする前の押出装置１０の様子を示す図であり、図９は、ストッパ１２にステータユニット５０をセットした状態を示す図である。
【００２８】
ゲート４４が閉塞した後、図１０に示すように、ジャッキ２０のロッド２２ａが伸長し、押出ロッド２６によりステータユニット５０からポンプ５８が押し出される。押し出されたポンプ５８は、図１１に示すように、テーブル３０の開口部３４からシューター３６へ落下し、分別箱（不図示）へ流し入れられる。
【００２９】
ポンプ５８の押し出しが終了してジャッキ２０のロッド２２ａを縮短した後、防護カバー３８のゲート４４が開放される。作業者によりストッパ１２に残ったステータ５２を取出し、新たなステータユニット５０がセットされる。
【００３０】
［効果］
上記のような構成の押出装置１０によれば、分離作業に関して火気を伴わないため、作業者の危険が少ない。また、防護カバー３８を設けることにより、さらに安全性を高めることができる。また、分離作業自体は、ジャッキによる押し出しであるため、作業者の負担は、実質的にステータユニット５０を押出装置１０にセットする事のみである。よって、作業者の負担軽減を図ることができる。さらに、作業者の負担が少なく、連続作業が可能であるため、作業効率の向上も図ることができる。
【００３１】
［その他変形例］
上記実施形態では、ポンプ５８の押し出しを行うジャッキ２０は、電気式のものである旨説明した。しかしながら、押出装置１０の設置場所の設備次第で、ジャッキ２０を油圧式のものとしても良く、このような構成とした場合であっても、本発明の一部とみなすことができる。ジャッキ２０の構成を変更した場合でも押出装置１０として同様な効果を得ることができるからである。
【符号の説明】
【００３２】
１０………押出装置、１２………ストッパ、１４………ストッパサポート、１４ａ………ガイド、１４ｂ………ベースプレート、１４ｃ………コイルばね、１６………ストッパプレート、１６ａ………爪、１６ｂ………傾斜面、１８………高さ調整用ライナ、２０………ジャッキ、２２………ジャッキ本体、２２ａ………ロッド、２２ｂ………ケーシング、２４………モータ、２６………押出ロッド、２６ａ………開口部、２８………ガイド、２８ａ………ガイドレール、３０………テーブル、３２………脚部、３４………開口部、３６………シューター、３８………防護カバー、４０………フレーム、４２………カバー、４４………ゲート、５０………ステータユニット、５２………ステータ、５４………本体、５４ａ………フランジ部、５６………銅線、５８………ポンプ、６０………軸。
【図１】
0003205091.tif 000003
【図２】
0003205091.tif 000004
【図３】
0003205091.tif 000005
【図４】
0003205091.tif 000006
【図５】
0003205091.tif 000007
【図６】
0003205091.tif 000008
【図７】
0003205091.tif 000009
【図８】
0003205091.tif 000010
【図９】
0003205091.tif 000011
【図１０】
0003205091.tif 000012
【図１１】
0003205091.tif 000013
【手続補正書】
【提出日】平成28年4月28日(2016.4.28)
【手続補正１】
【補正対象書類名】実用新案登録請求の範囲
【補正対象項目名】全文
【補正方法】変更
【補正の内容】
【実用新案登録請求の範囲】
【請求項１】
分離対象とするステータユニットを保持するストッパと、
前記ステータユニットを構成するポンプの軸を押圧する押出ロッドを備えたジャッキと、
前記ストッパ、および前記ジャッキの双方を水平位置に固定するテーブルを有することを特徴とするステータユニットからのポンプ押出装置。
【請求項２】
前記ストッパには、前記ステータユニットを載置する際のガイドとなる傾斜面を備えた爪が設けられていることを特徴とする請求項１に記載のステータユニットからのポンプ押出装置。
【請求項３】
前記押出ロッドには、押し出しの際の傾倒を防ぐガイドが備えられ、
前記テーブルには、前記ガイドが摺動するガイドレールが備えられていることを特徴とする請求項１または２に記載のステータユニットからのポンプ押出装置。
【請求項４】
前記テーブルには、当該テーブルを支持する脚部と、
前記ジャッキを介して押し出された前記ポンプを落下させる開口部と、
前記開口部から前記テーブルの下方へ延設されているシューターを備えたことを特徴とする請求項１乃至３のいずれか１項に記載のステータユニットからのポンプ押出装置。